(57)【要約】【課題】  立体的、デザイン的な深みを増し、高級感のある質感が得られるアナログ式時計を提供する。【解決手段】  時計ケース内にムーブメントと文字板１とを配置したアナログ式時計において、文字板１は複数枚の板材２〜４を積層して形成され、これら板材２〜４同士は表面層の板材２の裏面に突出した連結脚５Ａ，５Ｂを、中間層の板材３を貫通させ、さらに裏面層の板材４の裏面に貫通させて、この裏面で当該連結脚５Ａ，５Ｂの突出端をかしめることによって結合され、この文字板１は、裏面層の板材４の裏面に突出した固定脚６Ａ，６Ｂをムーブメントに固定して支持される。【選択図】      図４
2005106641.tif 000002
【特許請求の範囲】
【請求項１】
時計ケース内にムーブメントと文字板とを配置したアナログ式時計において、
前記文字板は複数枚の板材を積層して形成され、
これら板材同士は表面層の板材の裏面に突出した連結脚を、中間層の板材を貫通させ、さらに裏面層の板材の裏面に貫通させて、この裏面で当該連結脚の突出端をかしめることによって結合され、
この文字板は、裏面層の板材の裏面に突出した固定脚をムーブメントに固定して支持されることを特徴とするアナログ式時計。
【請求項２】
時計ケース内にムーブメントと文字板とを配置し、ムーブメントに固定された指針を文字板の上に配置したアナログ式時計において、
前記文字板は複数枚の板材を積層して形成され、
これら板材同士は表面層の板材の裏面に突出した連結脚を、中間層の板材を貫通させ、さらに裏面層の板材の裏面に貫通させて、この裏面で当該連結脚の突出端をかしめることによって結合され、
この文字板は、裏面層の板材の裏面に突出した固定脚をムーブメントに固定して支持されることを特徴とするアナログ式時計。
【請求項３】
前記文字板が少なくとも３枚の板材を積層して形成され、
裏面層の板材の表面の所定範囲に時刻等を表示する文字や図形、その他の模様等が表されると共に、貫通孔が形成され、
中間層の板材に所定範囲を視認可能に第一の窓が形成され、
ムーブメントの指針車がこの第一の窓及び前記貫通孔を貫通して延出し、この指針車に指針が取り付けられ、
表面層の板材には少なくとも第一の窓よりも大きい第二の窓が形成されていることを特徴とする請求項２記載のアナログ式時計。
【請求項４】
前記第一の窓が中間層の板材に複数形成され、表面層の板材には複数の第一の窓のすべてを露出させるための前記第二の窓が形成されていることを特徴とする請求項３記載のアナログ式時計。
【請求項５】
前記文字板の表面層の板材がダイヤルリングを構成することを特徴とする請求項１乃至４のいずれか一項記載のアナログ式時計。
【発明の詳細な説明】
【技術分野】
【０００１】
本発明は、ムーブメントと文字板とを備えたアナログ式時計に関する。
【背景技術】
【０００２】
一般に、置き時計、腕時計、懐中時計、ストップウォッチ等の各種時計においては、時計ケースに内蔵されたムーブメントの表面側に文字板が配置され、この文字板上に時刻等を表示する文字や図形、その他の模様等が表されている。文字板には中央孔が形成され、この中央孔を貫通する指針部が設けられ、この指針部に取り付けられた各指針によって時刻や時間を表示する表示部が構成されている。
上記各種時計の文字板は、一般的には、一枚の金属等からなる板状体からなり、時計ケースや地板に対して固定されている。
【０００３】
これに対し、文字板には、複数枚の板状体を重ねた積層文字板もあり、この積層された文字板では、例えば上板と下板とを接着剤により固定するもの（例えば特許文献１）、或いは、上板に棒状の脚を固定し、下板にはこの脚を通す孔を設け、上板と下板とを接着剤で接着した後に、上記下板の孔を貫通した脚をムーブメントに固定したもの（例えば特許文献２）等が提案されている。
【特許文献１】実開平５−９２７７７号公報
【特許文献２】特開平１０−２８２２５４号公報
【発明の開示】
【発明が解決しようとする課題】
【０００４】
しかし、従来の構成では、上板と下板を接着剤で接着しているため、例えば落下試験の衝撃によって上板と下板が剥離したり、板の浮きが発生したりする等の問題があった。また、従来では、落下衝撃に対する強度不足の関係から積層する板状体は２枚が限度であったが、これでは立体的な奥行きを作り出せず、デザイン的な深みを増した、高級感のある質感が得られないという問題があった。
さらに、いわゆる機能時計等にあって、指針の回転範囲への仕上げ加工分け等のデザインに付加価値を盛り込む場合、従来のように板状体が２枚では、加工方法の制約を受けて付加価値を盛り込むことができないという問題があった。
【０００５】
そこで、本発明の目的は、立体的、デザイン的な深みを増し、高級感のある質感が得られるアナログ式時計を提供することにある。
【課題を解決するための手段】
【０００６】
上記課題を解決するために、本発明は、時計ケース内にムーブメントと文字板とを配置したアナログ式時計において、前記文字板は複数枚の板材を積層して形成され、これら板材同士は表面層の板材の裏面に突出した連結脚を、中間層の板材を貫通させ、さらに裏面層の板材の裏面に貫通させて、この裏面で当該連結脚の突出端をかしめることによって結合され、この文字板は、裏面層の板材の裏面に突出した固定脚をムーブメントに固定して支持されることを特徴とする。
この場合に、時計ケース内にムーブメントと文字板とを配置し、ムーブメントに固定された指針を文字板の上に配置したアナログ式時計において、前記文字板は複数枚の板材を積層して形成され、これら板材同士は表面層の板材の裏面に突出した連結脚を、中間層の板材を貫通させ、さらに裏面層の板材の裏面に貫通させて、この裏面で当該連結脚の突出端をかしめることによって結合され、この文字板は、裏面層の板材の裏面に突出した固定脚をムーブメントに固定して支持されてもよい。
【０００７】
また、文字板が少なくとも３枚の板材を積層して形成され、裏面層の板材の表面の所定範囲に時刻等を表示する文字や図形、その他の模様等が表されると共に、貫通孔が形成され、中間層の板材に所定範囲を視認可能に第一の窓が形成され、ムーブメントの指針車がこの第一の窓及び貫通孔を貫通して延出し、この指針車に指針が取り付けられ、表面層の板材には少なくとも第一の窓よりも大きい第二の窓が形成されていてもよい。
さらに、第一の窓が中間層の板材に複数形成され、表面層の板材には複数の第一の窓のすべてを露出させるための第二の窓が形成されていてもよい。
また、文字板の表面層の板材がダイヤルリングを構成してもよい。
【発明の効果】
【０００８】
本発明によれば、立体的、デザイン的な深みを増した、しかも、高級感のある質感を備えた時計を作り出すことができる。
【発明を実施するための最良の形態】
【０００９】
以下、本発明によるアナログ式時計の一実施形態を添付図面を参照して説明する。
図１は、本実施形態による腕時計の時計ケースを示す斜視図であり、図２は、同じく時計ケースの２つの部位を切断して示す断面図であり、図３は、時計ケースの図２とは異なる２つの部位を切断して示す断面図である。図１に示す時計バンド２０は、図２及び図３では図示を省略している。
この実施形態の時計ケース１０は、裏蓋１０Ａを備え、内部にムーブメント１１を内蔵している。このムーブメント１１は地板１２を備え、この地板１２の上方には、金属板を積層してなる文字板１が配置されている。この文字板１の表面周縁部は、時計ケース１０に固定されるガラス縁１７によって押さえ付けられ、このガラス縁１７には、カバーガラス１８が接着により固定されている。
【００１０】
上記ムーブメント１１は、ステッピングモータ（図示せず）を内蔵し、このステッピングモータを駆動することにより、内蔵された各種輪列を駆動し、これにより５つの指針２４Ａ〜２４Ｅ（図１参照）を動作させている。
ここで、図1を参照し、中心から図中下側にずれた位置に基本時計Ａが配置され、左上部に基本時計の秒針部Ｂが配置され、その中央部にストップウォッチの秒針部Ｃが配置され、右上部にストップウォッチの分針部Ｄが配置される。
時計ケース１０の２時方向の環状壁部には、第１操作ボタン２１が設けられ、３時方向の環状壁部にはリュウズ２２が設けられ、４時方向の環状壁部には、第２操作ボタン２３が設けられる。各ボタン２１，２３及びリュウズ２２の操作により、それに対応した指針２４Ａ〜２４Ｅのいずれかが動作され、或いは後述する図示を省略したカレンダー（年、月、日、曜日等）機構等が操作される。
【００１１】
図４は、文字板１の分解斜視図である。
この文字板１は、金属板からなる３枚の板材２〜４を積層して形成される。表面層の板材２の裏面には、直径が約０．５ｍｍの一対の連結脚５Ａ，５Ｂが溶着により接合される。中間層の板材３には、上記の連結脚５Ａ，５Ｂが貫通し、かつがた付きが発生しない程度の大きさの貫通孔３Ａ，３Ｂがあけられ、裏面層の板材４には、連結脚５Ａ，５Ｂが嵌め合いとなる程度の大きさの貫通孔４Ａ，４Ｂがあけられる。
これらを結合するには、まず、表面層の板材２の連結脚５Ａ，５Ｂを、中間層の板材３の貫通孔３Ａ，３Ｂに挿通させて、これら板材２，３同士を、接着することなく重ね合わせるとともに、上記連結脚５Ａ，５Ｂを、さらに裏面層の板材４の貫通孔４Ａ，４Ｂに挿通させて、これら板材３，４同士を、接着することなく重ね合わせる。この段階では、連結脚５Ａ，５Ｂにより各板材の位置決めが行われる。なお、板材２〜４同士は、接着することなく重ね合わせているが、これに限定されず、板材２〜４同士間を接着剤または両面テープ等により貼り合わせてもよい。
ついで、各板材３，４に串刺しされた連結脚５Ａ，５Ｂの突出端、すなわち裏面の板材４の裏側に突出した連結脚５Ａ，５Ｂの突出端が突出量調整のために切断され、切断された後のわずかに残った突出端がタガネ（図示せず）等を用いて裏面の板材４にかしめられる。これにより、各板材２〜４同士が強固に結合される。
【００１２】
裏面層の板材４の裏面に、直径が約０．７５ｍｍの一対の固定脚６Ａ，６Ｂが溶着により接合され、この固定脚６Ａ，６Ｂが、図５に示すように、ムーブメント１１の取り付け部１１Ａに挿入されて、この文字板１がムーブメント１１に固定される。このムーブメント１１の取り付け部１１Ａは、固定脚６Ａ（或いは６Ｂ）を受け入れるための、断面円形の受け孔１１Ｂを備えて構成されている。
この受け孔１１Ｂには上記固定脚６Ａが挿入され、隣接する偏心ピン７を回動させることにより、そのつば部７Ａが、固定脚６Ａの外周に接触し、ついには食い付くことにより、固定脚６Ａが抜け止めされる。
【００１３】
本実施形態では、文字板１が３枚の板材２〜４を積層して形成され、これら板材２〜４同士は、表面層の板材２の裏面に突出した連結脚５Ａ，５Ｂを、中間層の板材３を貫通させ、さらに裏面層の板材４の裏面に貫通させて、この裏面で当該連結脚５Ａ，５Ｂの突出端をかしめることによって結合されるため、従来の接着だけによる接合に比べて、その結合強度を増大させることができる。ちなみに、従来の接合方式では、上方７５ｃｍからの落下衝撃試験で、張り合わせた板材の接着部に剥離が見られたが、本接合方式では、上方１５０ｃｍからの落下衝撃試験でも、板材が剥がれたり、或いは浮き上がったりすることがなかった。従って、本接合方式によれば、十分に落下衝撃試験に耐えうることができるとともに、これら接合強度の増大により、従来不可能であった、２枚以上の板材を接合した積層文字板１の提供が可能になる。
また、この文字板１は、裏面層の板材４の裏面に突出した固定脚６をムーブメント１１に固定して支持されるため、その結合が強固になり、これによっても落下衝撃に十分耐えうる文字板１が提供される。
【００１４】
図４を参照し、裏面層の板材４の表面には、一段凹んだそれぞれ円形の装飾部４Ｃ、４Ｄ、４Ｅが形成され、一の装飾部４Ｅにはさらに一段凹んだ円形の装飾部４Ｆが形成されている。各装飾部４Ｃ〜４Ｅに相当する所定範囲には、図示は省略したが、時刻等を表示する文字や図形、その他の模様等が適宜表されると共に、中央孔４Ｊが形成されている。４Ｋはカレンダー（年、月、日、曜日等）を視認可能にするための表示窓である。
また、中間層の板材３には、上述した所定範囲を視認可能に、それぞれに対応した円形の第一の窓３Ｃ、３Ｄ、３Ｅが形成されると共に、中央孔３Ｊが形成され、さらにカレンダーを視認可能にするための表示窓３Ｋが形成されている。
【００１５】
９Ａは、第一の窓３Ｃの周縁部に嵌められる飾りリングであり、９Ｂは、第一の窓３Ｄの周縁部に嵌められる飾りリングである。
さらに、表面層の板材２には、少なくとも第一の窓３Ｃ、３Ｄ、３Ｅよりも大きく、複数の第一の窓３Ｃ、３Ｄ、３Ｅのすべてを露出させるための、大きな円弧からなる第二の窓２Ｃが形成されている。２Ｋはカレンダー（年、月、日、曜日等）を視認可能にするための表示窓である。
上記構成では、３枚の板材２〜４への仕上げ加工分けが容易になるため、文字板をより立体的に形成できるとともに、デザイン的には深みのある、きわめて高級な質感を創出することができるようになる。
【００１６】
つぎに、本構成による時計の組み付け手順を説明する。
まず、図４の手順に従い、３枚の板材２〜４並びに飾りリング９を積層し、これらを上述したかしめ結合により連結して文字板１を形成する。ついで、この文字板１とムーブメント１１とを重ね合わせた後、この文字板１の固定脚６を、図５に示すように、ムーブメント１１の取り付け部１１Ａに固定する。
文字板１とムーブメント１１とを重ね合わせる場合、文字板１の孔４Ｇには、ムーブメント１１の筒車４１、二番車４２（図２）が挿入され、孔４Ｈには、小秒車４３（図３）が挿入され、孔４Ｉには、分ＣＧ車４４（図３）が挿入され、中央の孔３Ｊ，４Ｊには、秒ＣＧ車４５（図２）が挿入される。
そして、筒車４１には、基本時計Ａの時針２４Ｅが取り付けられ、二番車４２には、基本時計Ａの分針２４Ｄが取り付けられる。また、小秒車４３には、基本時計Ａの秒針２４Ａが取り付けられ、分ＣＧ車４４には、分ＣＧ針２４Ｃが取り付けられ、秒ＣＧ車４５には、秒ＣＧ針２４Ｂが取り付けられる。飾りリング９は、第一の窓３Ｃ，３Ｄの周縁部に接着剤により接着することが望ましい。
【００１７】
ついで、時計ケース１０の表側開口部に、カバーガラス１８が接着されたガラス縁１７を固定して、このガラス縁１７に文字板１の表面が当接するように、文字板１及びムーブメント１１を、時計ケース１０の裏側から嵌め込み、この時計ケース１０の裏側開口部に、裏蓋１０Ａを取り付ける。時計ケース１０と裏板１０Ａとの間には、密閉性や防水性を向上させるための、パッキン、シール材等を配置することが望ましい。ここに、グリース、オイル、樹脂等を充填させた場合には、密閉性や防水性を更に向上させることができ、パッキンやシール材が空気に触れないように構成できるので、これらパッキンやシール材の耐久性を向上させることができる。
【００１８】
本実施形態では、３枚の板材２〜４、及び飾りリング６等を組み合わせて文字板１を形成するため、２枚の板状体を組み合わせた従来のものに比べて、立体的な奥行きの広がり感を創出することができ、デザイン的な深みを増した、高級感のある質感のある文字板１を提供することができる。また、文字板１の製造に際し、自由な加工を加えることができるようになり、加工方法の制約が少なくなるため、いわゆる機能時計等にあって、指針の回転範囲への仕上げ加工分け等のデザインに、従来のものに比べ、きわめて簡単に付加価値を盛り込むことができる。
さらに、文字板１を多層に形成することによって、立体的なデザインを形成できるばかりでなく、１枚の文字板上に形成することの困難な複雑なデザインも容易に構成できるようになる。また、多層文字板とすることによって、表面側から見えない裏面板を純鉄等の磁性体によって形成すれば、特に時計の表面側から磁界を受けた場合の耐磁性を得ることができる等の効果が得られる。
【００１９】
上記構成では、各板材の機械的特性として、弾性若しくは可撓性を備えたシート状のものでもよいため、当該板材の材質や厚さに関する自由度を増大させることができる。また、上記構成では、強度的に従来使用できなかったアルミニウム板を用いることが可能になり、製造コストを低減できるとともに、軽量化を図ることができる。さらに、オフセット印刷によってグラデーション印刷や多色印刷も可能となり、デザイン上のバリエーションを増加させることができる。また、板材２〜４同士間の位置決めは、各板材の貫通孔に連結脚５Ａ，５Ｂを貫通させるだけであるため、従来のように各板状体の位置決めのための嵌合部を別に設ける必要がなく、各板材の構造自体を簡単にすることができ、製造コストを低減することができる。
【００２０】
図６は、別の実施形態を示す。
本実施形態では、文字板の表面層の板材がダイヤルリングを構成し、このダイヤルリングは、一般の時計では、ガラス縁１７と文字板との間に介装される。
この文字板３１は、金属板からなる３枚の板材３２〜３４を積層して形成される。表面層はダイヤルリング３２を構成し、このダイヤルリング３２の裏面には、直径が約０．５ｍｍの一対の連結脚３５Ａ，３５Ｂが溶着により接合される。中間層の板材３３には、上記の連結脚３５Ａ，３５Ｂが貫通し、かつがた付きが発生しない程度の大きさの貫通孔３３Ａ，３３Ｂがあけられ、裏面層の板材３４には、連結脚３５Ａ，３５Ｂが嵌め合いとなる程度の大きさの貫通孔３４Ａ，３４Ｂがあけられる。
【００２１】
これらを結合するには、まず、表面層のダイヤルリング３２の連結脚３５Ａ，３５Ｂを、中間層の板材３３の貫通孔３３Ａ，３３Ｂに挿通させて、これら部材３２，３３同士を貼り合わせるとともに、上記連結脚３５Ａ，３５Ｂを、さらに裏面層の板材３４の貫通孔３４Ａ，３４Ｂに挿通させて、これら板材３３，３４同士を貼り合わせる。ついで、各板材３３，３４に串刺しされた連結脚３５Ａ，３５Ｂであって、裏面の板材３４の裏側に突出した連結脚３５Ａ，３５Ｂを突出量調整のために切断し、切断した後の連結脚３５Ａ，３５Ｂの突出端をタガネ（図示せず）等を用いてかしめる。これにより、ダイヤルリング３２及び各板材３３，３４同士が強固に結合される。
【００２２】
裏面層の板材３４の裏面に、直径が約０．７５ｍｍの一対の固定脚３６Ａ，３６Ｂが溶着により接合され、この固定脚３６Ａ，３６Ｂが、図５に示す場合と同様に、ムーブメント１１の取り付け部１１Ａに挿入されて、この文字板１がムーブメント１１に固定される。このムーブメント１１の取り付け部１１Ａは、固定脚３６Ａ（或いは３６Ｂ）を受け入れるための、断面円形の受け孔１１Ｂを備えて構成されている。
この受け孔１１Ｂには上記固定脚３６Ａが挿入され、隣接する偏心ピン７を回動させることにより、そのつば部７Ａが、固定脚３６Ａの外周に接触し、ついには食い付くことにより、固定脚３６Ａが抜け止めされる。
【００２３】
さらに、裏面層の板材３４の表面には、一段凹んだそれぞれ円形の装飾部３４Ｃ、３４Ｄ、３４Ｅが形成され、一の装飾部３４Ｅにはさらに一段凹んだ円形の装飾部３４Ｆが形成されている。各装飾部３４Ｃ〜３４Ｅに相当する所定範囲には、図示は省略したが、時刻等を表示する文字や図形、その他の模様等が適宜表されると共に、中央孔３４Ｊが形成されている。３４Ｋはカレンダーを視認可能にするための表示窓である。また、中間層の板材３３には、上述した所定範囲を視認可能に、それぞれに対応した円形の第一の窓３３Ｃ、３３Ｄ、３３Ｅが形成されると共に、中央孔３３Ｊが形成され、さらにカレンダーを視認可能にするための表示窓３３Ｋが形成されている。
【００２４】
３９Ａは、第一の窓３３Ｃの周縁部に嵌められる飾りリングであり、３９Ｂは、第一の窓３３Ｄの周縁部に嵌められる飾りリングである。
さらに、ダイヤルリング３２には、少なくとも第一の窓３３Ｃ、３３Ｄ、３３Ｅよりも大きく、複数の第一の窓３３Ｃ、３３Ｄ、３３Ｅのすべてを露出させるための、大きな円弧からなる第二の窓３２Ｃが形成されている。
【００２５】
上記構成では、２枚の板材３３，３４への仕上げ加工分けが容易になるため、文字板をより立体的に形成できるとともに、デザイン的には深みのある、きわめて高級な質感を創出することができるようになる。
本実施形態では、ダイヤルリング３２と文字板の一体化が可能になる。そして、従来、これらを別々の手段で固定していたが、これらを、板材３４の裏面の固定脚３６Ａ，３６Ｂを用いて一体に固定することができる。
【００２６】
以上、一実施形態に基づいて、本発明を説明したが、本発明は、これに限定されるものではない。上記実施形態では、本発明を腕時計に適用した例を示したが、本発明は腕時計に限らず、置き時計、腕時計、懐中時計、ストップウォッチ等の各種時計に対して同様に適用することができる。機械式のアナログ時計について説明したが、デジタル式のアナログ時計にも適用が可能である。
【図面の簡単な説明】
【００２７】
【図１】本発明の一実施形態を示す平面図である。
【図２】同じく断面図である。
【図３】同じく断面図である。
【図４】文字板の分解斜視図である。
【図５】図３の一部を拡大した断面図である。
【図６】別の実施形態を示す分解斜視図である。
【符号の説明】
【００２８】
１…文字板  ２〜４…板材  ３Ａ，３Ｂ…貫通孔  ４Ａ，４Ｂ…貫通孔  ５Ａ，５Ｂ…連結脚  ６Ａ，６Ｂ…固定脚  ７…偏心ピン  １０…時計ケース  １０Ａ…裏蓋  １７…ガラス縁  １８…カバーガラス  ３２…ダイヤルリング  ３３，３４…板材３５Ａ，３５Ｂ…連結脚  ３６Ａ，３６Ｂ…固定脚。
【図１】
2005106641.tif 000003
【図２】
2005106641.tif 000004
【図３】
2005106641.tif 000005
【図４】
2005106641.tif 000006
【図５】
2005106641.tif 000007
【図６】
2005106641.tif 000008